(57)【要約】      （修正有）【課題】一定形状保持の長襦袢地衿に、簡便で問題なく着脱出来、装着すれば、上品で華麗に見える掛衿と重ね衿及びその長襦袢地衿を提供する。【解決手段】一定要件を満たした硬厚接着芯地を地衿布に所定通り熱接着し、長襦袢身頃に縫い付け、ジグザグ縫製した地衿の表側と裏側の縁部所定の位置で、面ファスナー雄巾０．３ｃｍを所定通りの長さと間隔で縁並行に断続的に装着して課題解決の長襦袢地衿となる。一方、掛衿として、種々の模様や色彩の絹、綿、ポリエステル等の表地と係止具に着脱可能のループ状素材裏地と袷縫いしたものを透明ナイロン糸にて所定の位置と長さで数本表裏の生地を一体にステッチ加工し、更にこの裏地に所定通り鉤ホックを装着して課題解決の掛衿となり、上記長襦袢地衿に簡便着脱可能で、着装すると華麗な衿元となる。【選択図】図２
0003161301.tif 000002
【実用新案登録請求の範囲】
【請求項１】
絹、綿、ポリエステル等の表地と係止具に着脱可能のループ状素材裏地とを袷縫いしたものであって、ステッチ加工と鉤ホックを装着した掛衿。
【請求項２】
透明ナイロン糸のステッチ加工により、掛衿裏地の中央部両縁部のそれぞれの中央から内部の方へ０．５ｃｍ位の位置で、縁に沿い長さ４ｃｍ〜１２ｃｍで表裏の生地を一体にステッチ、続いて、裏地の裏身頃側縁部中央から内部の方へ２ｃｍ位の位置で、縁に沿い長さ４ｃｍ〜１２ｃｍで表裏の生地を一体にステッチ、更に掛衿裏地の表身頃側縁部中央から内部の方へ０．５ｃｍ位の位置で内向きに鉤ホックを装着した請求項１に記載の掛衿。
【請求項３】
請求項１に記載の掛衿を着脱出来る係止具として巾約０．３ｃｍの面ファスナー雄を地衿表身頃及び地衿裏身頃側の縁沿いに長手方向にそれぞれ断続的に装着した一定形状保持長襦袢地衿。
【請求項４】
地衿表身頃側縁部及び地衿裏身頃側縁部よりそれぞれ内部へ約０．５ｃｍの位置で、長手方向両衿先に向かって縁並行に、面ファスナー雄の長さ４ｃｍ〜１５ｃｍを間隔０．２ｃｍ〜７ｃｍで断続的に数箇所装着した請求項３に記載の長襦袢地衿。
【考案の詳細な説明】
【技術分野】
【０００１】本考案は、一定形状保持の長襦袢地衿に、簡便で問題なく着脱出来、装着すれば、上品で華麗に見える掛衿と重ね衿及びその長襦袢地衿に関するものである。
【背景技術】
【０００２】従来から使われている掛衿（半衿）は、和装着用後の洗濯や新しい掛衿に取り替える度に、人手により、長襦袢地衿から縫い糸を解く作業や、新しく縫い合わせる作業に、手間隙かかる分野である。時、場所、場合に応じて、着物を着る機会には、幾つかの掛衿を変更することで、長襦袢の衿元は色彩や織り方、柄、生地により布地が異なって見える。同じ着物でも別の新しい和装となるので、掛衿を取り替える機会が多い分野である。係止具等を使用して簡易に着脱出来るとしている工夫があるが、衿が弛んだり、淀んだり、波紋が生じる等の問題がある。又、重ね衿を装着することでより華麗になる分野でもある。掛衿を装着する長襦袢は、予め掛衿を長襦袢地衿に縫合し、その間に長方形の樹脂板を差し入れることにより衿元が確りした一定の形状を保つようになる。同様に上衣の着物の衿も確りした一定形状となる。或は、長襦袢に地衿布を縫着する際、長方形の硬厚布等を添えて縫い付け、衿を立体的になるようにする技術分野があるが、何れも手間隙がかかる縫製を伴い、弛み、淀み、波紋等満足出来ない問題がある。
【先行技術文献】
【特許文献】
【０００３】
【特許文献１】特開２００４−１２４２９５号公報
【特許文献２】特開平１１−３０２９０１号公報
【０００４】
【特許文献３】実用新案登録３０６４５６１号
【特許文献４】実用新案登録３０４６６４４号
【考案の概要】
【考案が解決しようとする課題】
【０００５】従来から行われている掛衿は長襦袢地衿に縫い付けているが、新しい掛衿を替える度に、前の掛衿の縫い目を解く作業、及び、掛衿を地衿に縫い付けする作業に時間がかかり、面倒なものである。一度着物を着て、長襦袢の掛衿を洗う時も同様な作業が必要である。縫製作業を行わずに、初心者や経験者誰でも長襦袢地衿に掛衿を簡便に着脱出来るように解決することは解決課題の一つである。【０００６】長襦袢地衿に掛衿を着脱出来るように、係止具を安易に使用すると、掛衿に弛み、淀み、波紋が出来易くなり、何回も着脱を繰り返す傾向が見られる。長襦袢の地衿に掛衿が弛み、淀み、波紋を生じないよう、簡便で円滑で綺麗に装着出来るようにすることが課題である。【０００７】和装の特徴の一つである長襦袢の掛衿の生地や色合いは、着物姿の前面や側面から見て見栄えのする重要な要素である。着物に合わせた長襦袢の掛衿を選んでも、着付けの際、姿見を見て掛衿を変更したい時、即座に対応する必要がある。又、連日和装の場合など、掛衿をさまざまな模様や色調や生地の布地から選び、時、場所、場合に応じて簡単に交換出来るように解決することが課題である。更に十二単のような豪華な見栄えのする重ね衿にすることも課題である。【０００８】和服の着付けの要点の一つは、衿元が首の周囲に、優雅な一定形状の湾曲帯を持ち合わせていることである。従来行われているものとして、地衿に掛衿を縫い付け、その間に長方形の樹脂板を入れ一定形状の湾曲帯形状にさせ、上衣の着物の衿も湾曲帯形状にしているが、この縫製により一定形状で美しい状態にすることは手間隙が掛かる。或は、硬厚布等を芯にして縫製した地衿に掛衿を縫い付けているが、縦の皺、弛みが生じ易い。このような面倒な縫製作業をすることなく又樹脂版や硬厚布を使用することなく、洗濯やドライクリーニングに影響されず、首周りに優雅で平滑な一定形状保持の湾曲帯形状を持ち、初心者でも経験者でも掛衿を簡便綺麗に掛け且つ簡易に取り外すことの出来る長襦袢地衿を提供することが課題である。
【課題を解決するための手段】
【０００９】掛衿は長襦袢の地衿に縫製されていて、新しい掛衿を地衿に付ける度に、掛衿の縫い目を解く作業や掛衿を長襦袢の地衿に縫製する作業に手間隙がかかり簡単には出来ない面倒なものである。長襦袢の掛衿を洗う時も同様である。従って、掛衿を長襦袢地衿に簡単に問題なく着脱出来る課題解決の為、係止具として係合具、係着具、固着具、固定具、挟着具、留め具等が考えられるが、課題で述べたような種々の問題がある為手段を講ずることが必要になる。本考案では面ファスナーのマジックテープ（商標）ベルクロテープ（商標）パイルアンドフック等を使用することが出来るが、これらの一方の面に付着する布があれば、その布生地を掛衿の裏地に使用することが課題解決の要点の一つになる。即ち、絹、綿、ポリエステル等の表地と係止具に着脱可能のループ状素材裏地を袷縫いして一定の方策で加工した掛衿が、ループ状素材裏地を付着出来る面ファスナーの雄を一定の方策で取り付けた長襦袢地衿に、問題なく着脱出来ることを確認した。具体的に、本考案の掛衿については、絹、綿、ポリエステル等の表地と係止具に着脱可能のループ状素材裏地を袷縫いしたものを、透明ナイロン糸のステッチ加工袷縫いにより、掛衿裏地の表身頃側縁部中央から内部の方へ約０．５ｃｍ位置で縁に沿い長さ８ｃｍ位に亘り表地と裏地を一体にステッチ、続いて掛衿裏地の裏身頃側縁部中央から内部の方へ約０．５ｃｍの位置で縁に沿い長さ８ｃｍ位に亘り表地と裏地を一体にステッチ、同じく、掛衿裏地の裏身頃側縁部中央から内部の方へ約２ｃｍの位置で縁に沿い長さ８ｃｍ位に亘り表地と裏地を一体にステッチ加工することで掛衿の表裏生地が中央部でずれることなく一体になり、衿先に向かっては滑らかな掛衿となり、所定の面ファスナーを取り付けた長襦袢地衿に問題なく着脱出来るようにした。この手段を講じた掛衿が所定の長襦袢地衿に問題なく着脱出来て、課題解決の肝心重要な手段の一つとなる。【００１０】長襦袢地衿に掛衿を合わせ付着するのに、係止具を安易に使用すると掛衿に淀みが出来易く、何回も着脱を繰り返す傾向にある。長襦袢の地衿に掛衿が淀みなく簡単円滑に着脱出来る手段が課題である。この課題解決の為、長襦袢地衿に装着する面ファスナー雄の巾を非常に狭い０．３ｃｍにしたこと、及び適切な間隔を設けて装着したことが本考案の肝心重要な手段となる。即ち、巾０．３ｃｍの面ファスナー雄を用いて、地衿の表身頃側縁部から内部へ０．５ｃｍの位置で、長手方向両衿先に向かって縁並行に長さ４ｃｍ〜１５ｃｍを間隔３ｃｍ〜７ｃｍで断続的に取り付け、又、同様に巾０．３ｃｍの面ファスナー雄を用いて、地衿の裏身頃側縁部中央から内部へ０．５ｃｍの位置で、長手方向両衿先に向かって縁並行に、長さ４ｃｍ〜１５ｃｍを間隔０．２ｃｍ〜７ｃｍの間隔で断続的に取り付けることが長襦袢地衿に掛衿を掛け易くする本考案の課題解決の肝心重要な手段の一つである。【００１１】更に、掛衿を長襦袢地衿に装着し易くする為に、掛衿裏地の表身頃側縁部中央から内部の方０．５ｃｍの位置で内向きに鉤ホックを装着したことである。掛衿を長襦袢地衿に装着する際、鉤ホックを長襦袢表地衿付の背縫い中心の縫い目に差し込み装着を行うと掛衿全体が地衿にぴったりと合致し易くなる。これも本考案の課題解決の肝心重要な手段の一つである。この鉤ホックを差し入れ掛衿の上に更にもう一枚掛衿を縦二つ折りし、重ね衿として使用すると課題に示した通り、所謂十二単のような豪華な見栄えのする重ね衿にすることが出来る。更に、和装の要点の一つである長襦袢の掛衿の生地や色模様は、着物姿の前面や側面から見て見栄えのする重要な要素である。着物に合わせた長襦袢の掛衿を選んでも、着付けの際、姿見を見て掛衿を変更したい時に直ぐ対応することが課題である。又、連日和装の場合、掛衿をさまざまな模様や色調や布地から選び、時、場所、場合に応じて簡単に交換出来るように解決することが課題である。この課題を解決する為に、本考案による所定の掛衿の表地が種々の模様や色調や布地で揃えられることで、これを市場にて入手出来るようにすることで課題解決が出来る。【００１２】本考案の掛衿を着脱する長襦袢衿は衿元が首の周りに優雅な曲線を持ち合わせていることが必要である。従来長襦袢衿は、長襦袢に掛衿を縫い付けて、その間に長方形の樹脂板を入れ、一定の湾曲帯形状にさせると、上衣の着物の衿も湾曲帯形状になるが、この縫製により一定形状で美しい状態にすることは手間隙が掛かる。或は硬厚布等を芯にして縫製した長襦袢地衿に掛衿を縫い付けているが、縦の皺、弛みが生じ易い。面倒な縫製作業をすることなく樹脂版や硬厚布を使用せずに、縦の皺弛みのない安定性ある優雅で平滑な一定形状保持地衿にすることで、初心者でも簡便に掛衿を着脱出来、且つ洗濯やドライクリーニングに強い長襦袢地衿を提供することが課題である。即ち、形状が首の後面から側面にかけては、首から３ｃｍ〜１０ｃｍ離れた湾曲帯形状であり、衿先に向かっては徐々に平らな形状になる一定形状保持の形状記憶加工衿を有する長襦袢地衿にすることである。この具体的手段の為に、ポリエステル１００％のバイアス素材硬厚接着芯地巾５ｃｍ長さ９５ｃｍを地衿布巾１１ｃｍ長さ１５０ｃｍの長手方向半分に縫代を考慮して熱接着し、この地衿布を長襦袢身頃に縫製し、衿全体を大きくジグザグ状に縫製して長襦袢地衿とすることである。反発性や安定性があり、洗濯やドライクリーニングに強く、弛み、淀み、モアレの発生が無い等の接着芯地を使用すれば、外圧や熱水に強い一定形状保持の形状記憶の長襦袢地衿となる。この長襦袢地衿に所定通りの面ファスナーを装着し、これに所定通りの掛衿を着脱し易く、装着すれば弛みや淀み波紋のない優雅な衿を呈するので、これは課題を解決出来る肝心重要な手段の一つである。
【考案の効果】
【００１３】課題を解決するための手段に記述した通り、（１）長襦袢地衿については、条件を有するポリエステル１００％のバイアス素材硬厚接着芯地巾５ｃｍ長さ９５ｃｍを地衿布巾１１ｃｍ長さ１５０ｃｍの長手方向半分に縫代を考慮して熱接着し、この地衿布を長襦袢身頃に縫製し、衿全体を大きくジグザグ状に縫製して長襦袢地衿とした結果、反発性や安定性があり、洗濯ドライクリーニングに強く、モアレ発生の無い、外圧や熱水に強い一定形状保持の形状記憶地衿となり、この長襦袢地衿に所定の方策で面ファスナー雄を装着して、所定の掛衿を装着して弛み、淀み、波紋の生じないものとなった。（２）掛衿については、絹、綿、ポリエステル等の表地と係止具に接着可能のループ状素材裏地とを袷縫いしたものを透明ナイロン糸のステッチ加工袷縫いにより、掛衿裏地の表身頃側縁部中央から内部の方へ０．５ｃｍ位置で縁に沿い長さ約８ｃｍに亘って表生地と裏生地を一体にステッチ、続いて裏身頃側縁部中央から内部の方へ０．５ｃｍの位置で縁に沿い長さ約８ｃｍに亘って表生地と裏生地を一体にステッチ、同じく、裏身頃側縁部中央から内部の方へ２ｃｍの位置で縁に沿い長さ約８ｃｍに亘って表生地と裏生地を一体にステッチした結果中央部の表裏生地が一体になり、衿先に向かって滑らかな掛衿となったので、所定の長襦袢地衿に着脱し易くなった。（３）長襦袢地衿についての課題を解決するための手段に記載した通り、長襦袢地衿の表側と裏側の縁の所定位置に装着する面ファスナー雄を０．３ｃｍという最小の巾に出来、更に所定の長さと間隔で断続的に装着した為、上記の掛衿は面ファスナー雄に問題なく非常に着脱し易くなった。（４）更に課題を解決するための手段に記載した通り、掛衿の裏中央に所定通り装着した鉤ホックを長襦袢表地衿付の背縫い中心の縫い目に差し込み、長襦袢地衿の面ファスナー雄に掛衿の端を軽く着脱しながら、初心者でも経験者でも簡単に長襦袢地衿に掛衿を取り付け易くなった。（５）掛衿の表地は絹、綿、ポリエステル等の生地で色調、模様も色々と揃えられるその為、長襦袢一体でも、時、場所、場合に応じて、或いは連日着物を着る機会がある時に掛衿の生地、色調、模様の好みのものに変えることが出来る。着付けの際に、衿ぬき布のセットで後衿が反り、上衣の着物を着て、優雅な一定形状保持の湾曲帯形状で綺麗な衿元を呈する様になることが出来た。（６）掛衿を装着した上に鉤ホックを利用して更にもう一枚掛衿を縦二つ折りし重ね衿として使用すると十二単のような華麗な見栄えのする衿元となった。（７）着物の使用後簡単に掛衿を外すことが出来、洗濯、ドライクリーニン等でも、長襦袢地衿、掛衿とも一定の形状を保持した。
【図面の簡単な説明】
【００１４】
【図１】請求項３及び請求項４に記載の所定の面ファスナーの装着状態を示した一定形状保持の湾曲帯形状記憶加工長襦袢地衿の実地例を示す外観である。
【図２】請求項１及び請求項２に記載のステッチ加工と鉤ホック装着の掛衿裏面の外観である。
【考案を実施するための形態】
【００１５】本考案を実施する長襦袢地衿については、所定要件を備えたポリエステル１００％のバイアス素材硬厚接着芯地巾５ｃｍ長さ９５ｃｍを地衿布巾１１ｃｍ長さ１５０ｃｍの長手方向半分に縫代を考慮して熱接着し、長襦袢身頃に縫い付けると地衿は一定形状の湾曲帯形状となり、これに規定通り面ファスナーを装着したものである。即ち、巾０．３ｃｍの面ファスナー雄を用いて、地衿の表身頃側縁部中央より内部へ０．５ｃｍの位置で、縁並行に長さ１５ｃｍを、続いて長手方向両衿先に向かって縁並行に、間隔３ｃｍで長さ１５ｃｍを、続いて間隔７ｃｍで長さ１５ｃｍを、計５個装着、又同様に、地衿の裏身頃側縁部より内部へ０．５ｃｍの中央位置で、０．２ｃｍ空け、長手方向両衿先に向かって縁並行に、長さ４ｃｍを、間隔０．２ｃｍ空けて長さ４ｃｍを、間隔１ｃｍ空けて長さ４ｃｍを、間隔１ｃｍ空けて長さ４ｃｍを、間隔１ｃｍ空けて長さ８ｃｍを、間隔７ｃｍ空けて長さ１５ｃｍを、計１２個地衿に装着した。洗濯、ドライクリーニング等でも一定形状の湾曲帯形状を保持した記憶加工長襦袢地衿になっている。その外観は図１の通りである。
【００１６】本考案を実施するための掛衿については、絹、綿、ポリエステル等の表地と係止具に付着可能のループ状素材裏地とを袷縫いし、中央部位で裏地の方から所定のステッチ加工を行った。更に掛衿の表身頃側縁中央から内部の方へ０．５ｃｍの位置で内向きに鉤ホックを装着した。この鉤ホックを長襦袢表地衿付の背縫い中心の縫い目に差し込むと掛衿を地衿に簡単に確り密着した状態に付けることが出来、着付けの際、衿ぬき布使用で後衿が反り、上衣の着物を着て、優雅な湾曲形状で綺麗な衿元を呈する様にすることが出来る。更に掛衿の上にもう一枚掛衿を縦二つ折りし、重ね衿として使用出来て十二単のような華麗な見栄えのする衿元となる。その外観は図２の通りである。
【実施例】
【００１７】長襦袢の地衿を作製するに当たり、ポリエステル１００％のバイアス素材硬厚接着芯地巾５ｃｍ長さ９５ｃｍを地衿布巾１１ｃｍ長さ１５０ｃｍの長手方向半分に縫代を考慮して熱接着し、長襦袢身頃に縫い付けると長襦袢の地衿は一定形状保持の湾曲帯形状になり、これに規定通り面ファスナーを付けた。具体的には巾０．３ｃｍの面ファスナー雄を用いて地衿の表身頃側縁部中央より内部へ０．５ｃｍの位置で、縁並行に長さ１５ｃｍを、続いて長手方向両衿先に向かって、間隔３ｃｍ空けて長さ１５ｃｍを、続いて間隔７ｃｍ空けて長さ１５ｃｍを、計５個表地衿に装着、又同様に、長襦袢地衿の裏身頃側縁部中央より内部へ０．５ｃｍの位置で、０．２ｃｍを空けて長手方向両衿先に向かって縁並行に、長さ４ｃｍを、続いて間隔０．２ｃｍ空けて長さ４ｃｍを、続いて間隔１ｃｍ空けて長さ４ｃｍを、続いて間隔１ｃｍ空けて長さ４ｃｍを、続いて間隔１ｃｍ空けて長さ８ｃｍを、続いて間隔７ｃｍ空けて長さ１５ｃｍを、計１２個裏地衿に装着した。尚、この一定形状保持の長襦袢地衿は洗濯、ドライクリーニング等でもその形状を損なうことがなかった。その外観は図１の通りである。【００１８】長さ１１０ｃｍ、中央巾１１ｃｍ、衿先巾１３．５ｃｍの掛衿を作製するに当たり、絹、綿、ポリエステル等それぞれの表地と係止具に付着可能のループ状のポリエステル裏地と縫代等を考慮して袷縫いし、これを裏地の方から表地と裏地とを一体にナイロン糸のステッチ加工により、掛衿裏地の表身頃側縁部中央から内部の方へ０．５ｃｍ位置で縁に沿い長さ８ｃｍに亘ってステッチ、続いて掛衿裏地の裏身頃側縁部中央から内部の方へ０．５ｃｍの位置で縁に沿い長さ８ｃｍに亘ってステッチ、同様に、掛衿裏地の裏身頃側縁部中央から内部の方へ２ｃｍの位置で縁に沿い長さ８ｃｍに亘ってステッチした結果中央部の表裏の生地が一体になり衿先に向かって滑らかな掛衿となった。更に掛衿裏地の表身頃側縁部中央から内部の方へ０．５ｃｍの位置で内向きに鉤ホック（約１．２ｃｍ×１ｃｍ）を装着した。この鉤ホックを長襦袢表地衿付の背縫い中心の縫い目に差し込み掛衿を地衿に装着すると初心者も経験者も簡単に確り密着した状態に取り付けられ、着付けの際、衿ぬき布の使用で後衿が反り、上衣の着物を着て、優雅な湾曲形状で綺麗な衿元を呈することが出来た。掛衿の上に更にもう一枚掛衿を二つ折りし重ね衿として十二単のような華麗な衿元となった。尚、掛衿の巾や長さは記述の数字に対し増減可能である。その外観は図２の通りである。
【産業上の利用可能性】
【００１９】本考案の長襦袢の作製に当たっては、要件を備えた接着芯地を地衿布と共に長襦袢身頃に縫製しこの地衿をジグザグ状に縫製することにより、形状が首の後から側面にかけては首から３ｃｍ〜１０ｃｍ離れた湾曲帯形状となり、その下方は徐々に衿先に向かって平らで一定形状を保つ形状記憶加工衿となり、更にこの地衿に所定の面ファスナーを所定通り装着することで、長襦袢として市場に供給可能となった。【００２０】本考案の掛衿の製造に当たり、絹、綿、ポリエステル等それぞれの表地と面ファスナー雄に付着出来るループ状素材裏地とを袷縫いし、その中央部位で裏地の方から所定のステッチ加工を行った。更に掛衿裏地の表身頃側縁部中央から内部の方へ所定の位置で内向きに鉤ホックを装着した。表地を多様な色調、模様、生地を用いることで多様な品種を揃えることが出来た。上記の掛衿の鉤ホックを長襦袢表地衿付の背縫い中心の縫い目に差込み掛衿を地衿に初心者も経験者も簡単に確り密着した状態に付けられ、着付けで衿ぬき布の使用で後衿が反り、上衣の着物を着て優雅な湾曲形状で綺麗な衿元を呈することが出来た。掛衿の上に更にもう一枚掛衿を二つ折りにし、重ね衿として使用すると十二単のような華麗な衿元となった。
【符号の説明】
【００２１】  １  地衿裏衿付側縁から０．５ｃｍ装着の面ファスナー巾０．３ｃｍ、長さ４ｃｍ
２  地衿裏衿付側縁から０．５ｃｍ装着の面ファスナー巾０．３ｃｍ、長さ４ｃｍ
３  地衿裏衿付側縁から０．５ｃｍ装着の面ファスナー巾０．３ｃｍ、長さ８ｃｍ
４  地衿裏衿付側縁から０．５ｃｍ装着の面ファスナー巾０．３ｃｍ、長さ１５ｃｍ
５  地衿表衿付側縁から０．５ｃｍ装着の面ファスナー巾０．３ｃｍ、長さ１５ｃｍ
６  地衿表衿付側縁から０．５ｃｍ装着の面ファスナー巾０．３ｃｍ、長さ１５ｃｍ
７  地衿表衿付側縁から０．５ｃｍ装着の面ファスナー巾０．３ｃｍ、長さ１５ｃｍ
８  掛衿裏地表身頃側縁中央から内部へ０．５ｃｍ縁並行で表裏地を８ｃｍステッチ
９  掛衿裏地裏身頃側縁中央から内部へ０．５ｃｍ縁並行で表裏地を８ｃｍステッチ
１０  掛衿裏地裏身頃側縁中央から内部へ２ｃｍ縁並行に表裏地を８ｃｍステッチ
１１  掛衿裏地表身頃側縁中央から内部へ０．５ｃｍ位置で内向き鉤ホック
１２  掛衿表身頃側縁
１３  掛衿裏身頃側縁
１４  掛衿衿先巾（１３．５ｃｍ）
１５  掛衿中央巾（１１ｃｍ）
【図１】
0003161301.tif 000003
【図２】
0003161301.tif 000004